(57)【要約】【課題】電解水散布装置の電解水生成中におけるユーザによるオフ操作があった場合、電解水散布装置の停止動作の誤認識を防止させることを目的とする。【解決手段】ユーザによる動作指令と電解部の状態情報とを取得する情報取得部と、情報取得部が取得した情報に基づいて電解部と送風部とルーバとを制御する制御部と、を備え、制御部は、情報取得部から停止の動作指令と電解部の通電状態の情報を取得した場合、電解部及び送風部を一時停止させ、ルーバを閉状態に制御し、所定時間の経過後、再運転時間において電解部及び送風部を動作させ、ルーバを開状態に制御することで電解水生成中において、ユーザによるオフ操作があった場合においても、電解水散布装置の停止動作における誤認識を防止させ、除菌及び脱臭の性能を安定的に得られる。【選択図】図５
2020110337.tif 000002
【特許請求の範囲】
【請求項１】
吸気口と吹出口を有する筐体と、
前記筐体の前記吹出口を開閉するルーバと、
電解水を生成する電解水生成部と、
前記電解水生成部が生成した電解水を散布する散布部と、を備え、
前記電解水生成部は、水を貯めるための貯水部と、
前記貯水部内の水を電気分解させ電解水を生成し、電解水の量を制御するため通電状態となる通電時間と非通電状態となる非通電時間とを一周期として動作する電解部と、を備え、
前記散布部は、前記貯水部内の電解水に浸漬させて保水し前記吸気口から流入した空気に接触するフィルター部と、前記フィルター部に接触した空気を前記吹出口に導く送風部と、を備え、
ユーザによる動作指令と前記電解部の状態情報とを取得する情報取得部と、
前記情報取得部が取得した情報に基づいて前記電解部と前記送風部と前記ルーバとを制御する制御部と、を備え、
前記制御部は、前記情報取得部から停止の動作指令と前記電解部の通電状態の情報を取得した場合、前記電解部及び前記送風部を一時停止させ、前記ルーバを閉状態に制御し、所定時間の経過後、再運転時間において、前記電解部及び前記送風部を動作させ、前記ルーバを開状態に制御することを特徴とする電解水散布装置。
【請求項２】
前記再運転時間は、前記通電時間より前記一時停止までの通電状態の時間を減算した時間であり、前記再運転時間の経過後、前記電解部及び前記送風部を停止させ、前記ルーバを閉状態に制御することを特徴とする請求項１に記載の電解水散布装置。
【請求項３】
吸気口と吹出口を有する筐体と、
前記筐体の前記吹出口を開閉するルーバと、
電解水を生成する電解水生成部と、
前記電解水生成部が生成した電解水を散布する散布部と、を備え、
前記電解水生成部は、水を貯めるための貯水部と、
前記貯水部内の水を電気分解させ電解水を生成し、電解水の量を制御するため通電状態となる通電時間と非通電状態となる非通電時間とを一周期として動作する電解部と、を備え、
前記散布部は、前記貯水部内の電解水に浸漬させて保水し前記吸気口から流入した空気に接触するフィルター部と、前記フィルター部に接触した空気を前記吹出口に導く送風部と、を備え、
ユーザによる動作指令と前記電解部の状態情報とを取得する情報取得部と、
前記情報取得部が取得した情報に基づいて前記電解部と前記送風部と前記ルーバとを制御する制御部と、を備え、
前記制御部は、前記情報取得部から停止の動作指令と前記電解部の通電状態の情報を取得した場合、前記電解部及び前記送風部を一時停止させ、前記ルーバを閉状態に制御し、所定時間の経過後、前記通電時間より前記一時停止までの通電状態の時間を減算した再運転時間を算出し、
前記再運転時間が再運転規定時間よりも長い場合に前記電解部および前記送風部を動作させ、前記ルーバを開状態に制御し、前記再運転時間が再運転規定時間以下の場合に前記電解部及び前記送風部の停止を維持し、前記ルーバを閉状態に制御することを特徴とする電解水散布装置。
【発明の詳細な説明】
【技術分野】
【０００１】
本発明は、電解水を生成して散布する電解水散布装置に関する。
【背景技術】
【０００２】
空気中の細菌、真菌、ウイルス、臭い等の除去を行うために、電気分解により次亜塩素酸を含む電解水を生成して散布する電解水散布装置が知られている（特許文献１）。
【０００３】
従来の電解水散布装置では、電解水を生成中において、ユーザによるオフ操作があった場合、電解水の生成が所定時間完了するまでは次亜塩素酸を含む電解水の生成を継続させていた。さらに、筐体内に生成された次亜塩素酸が留まらないようルーバを開状態にし、ファンを弱風で動かしていた。
【先行技術文献】
【特許文献】
【０００４】
【特許文献１】特開２００７−２０２７５３号公報
【発明の概要】
【発明が解決しようとする課題】
【０００５】
このような従来の電解水散布装置においては、電解水生成中において、ユーザによるオフ操作があった場合、電解水の生成が所定時間完了するまでは次亜塩素酸を含む電解水の生成を継続させ、さらに、筐体内に生成された次亜塩素酸が留まらないようルーバを開状態にし、ファンを弱風で動かしていた。したがって、ユーザは、電解水散布装置がオフ状態へ遷移できていないと誤認識するという課題を有していた。
【０００６】
そこで、本発明は、上記従来の課題を解決するものであり、電解水散布装置の電解水生成中において、ユーザによるオフ操作があった場合においても、電解水散布装置の停止動作における誤認識を防止させ、除菌及び脱臭の性能を安定的に実現できる電解水散布装置を提供することを目的とする。
【課題を解決するための手段】
【０００７】
そして、この目的を達成するために、本発明の電解水散布装置は、吸気口と吹出口を有する筐体と、筐体の吹出口を開閉するルーバと、電解水を生成する電解水生成部と、電解水生成部が生成した電解水を散布する散布部と、を備え、電解水生成部は、水を貯めるための貯水部と、貯水部内の水を電気分解させ電解水を生成し、電解水の量を制御するため通電状態となる通電時間と非通電状態となる非通電時間とを一周期として動作する電解部と、を備え、散布部は、貯水部内の電解水に浸漬させて保水し吸気口から流入した空気に接触するフィルター部と、フィルター部に接触した空気を吹出口に導く送風部と、を備えユーザによる動作指令と電解部の状態情報とを取得する情報取得部と、情報取得部が取得した情報に基づいて電解部と送風部とルーバとを制御する制御部と、を備え、制御部は、情報取得部から停止の動作指令と電解部の通電状態の情報を取得した場合、電解部及び送風部を一時停止させ、ルーバを閉状態に制御し、所定時間の経過後、再運転時間において電解部及び送風部を動作させ、ルーバを開状態に制御すること  により所期の目的を達成するものである。
【発明の効果】
【０００８】
本発明によれば、電解水散布装置の電解水生成中において、ユーザによるオフ操作があった場合においても、電解水散布装置の停止動作における誤認識を防止させ、除菌及び脱臭の性能を安定的に実現できる、という効果を得ることができる。
【図面の簡単な説明】
【０００９】
【図１】本発明の実施形態に係る電解水散布装置の斜視図である。
【図２】同電解水散布装置のパネルを開いた状態の斜視図である。
【図３】同電解水散布装置の散布部における概略断面図である。
【図４】同電解水散布装置の電解部における概略断面図である。
【図５】同電解水散布装置の機能ブロック図である。
【図６】同電解水散布装置のフローチャートである。
【発明を実施するための形態】
【００１０】
本発明に係る電解水散布装置は、吸気口と吹出口を有する筐体と、筐体の吹出口を開閉するルーバと、電解水を生成する電解水生成部と、電解水生成部が生成した電解水を散布する散布部と、を備え、電解水生成部は、水を貯めるための貯水部と、貯水部内の水を電気分解させ電解水を生成し、電解水の量を制御するため通電状態となる通電時間と非通電状態となる非通電時間とを一周期として動作する電解部と、を備え、散布部は、貯水部内の電解水に浸漬させて保水し吸気口から流入した空気に接触するフィルター部と、フィルター部に接触した空気を吹出口に導く送風部と、を備えユーザによる動作指令と電解部の状態情報とを取得する情報取得部と、
情報取得部が取得した情報に基づいて電解部と送風部とルーバとを制御する制御部と、を備え、制御部は、情報取得部から停止の動作指令と電解部の通電状態の情報を取得した場合、電解部及び送風部を一時停止させ、ルーバを閉状態に制御し、所定時間の経過後、再運転時間において電解部及び送風部を動作させ、ルーバを開状態に制御する。
【００１１】
これにより、電解水散布装置の電解水生成中において、ユーザによるオフ操作があった場合においても、電解水散布装置の停止動作における誤認識を防止させ、除菌及び脱臭の性能を安定的に実現できる、という効果を得ることができる。
【００１２】
また、再運転時間は、通電時間より一時停止までの通電状態の時間を減算した時間であり、再運転時間の経過後、電解部及び送風部を停止させ、ルーバを閉状態に制御するとしてもよい。
【００１３】
これにより、電解水を生成する所定時間を維持し、除菌及び脱臭の性能を安定的に実現できるという効果を得ることができる。
【００１４】
また、吸気口と吹出口を有する筐体と、筐体の前記吹出口を開閉するルーバと、電解水を生成する電解水生成部と、電解水生成部が生成した電解水を散布する散布部と、を備え、電解水生成部は、水を貯めるための貯水部と、貯水部内の水を電気分解させ電解水を生成し、電解水の量を制御するため通電状態となる通電時間と非通電状態となる非通電時間とを一周期として動作する電解部と、を備え、散布部は、貯水部内の電解水に浸漬させて保水し吸気口から流入した空気に接触するフィルター部と、フィルター部に接触した空気を吹出口に導く送風部と、を備え、ユーザによる動作指令と前記電解部の状態情報とを取得する情報取得部と、情報取得部が取得した情報に基づいて前記電解部と前記送風部と前記ルーバとを制御する制御部と、を備え、
制御部は、情報取得部から停止の動作指令と電解部の通電状態の情報を取得した場合、電解部及び送風部を一時停止させ、ルーバを閉状態に制御し、所定時間の経過後、通電時間より一時停止までの通電状態の時間を減算した再運転時間を算出し、再運転時間が再運転規定時間よりも長い場合に電解部および送風部を動作させ、ルーバを開状態に制御し、再運転時間が再運転規定時間以下の場合に電解部及び送風部の停止を維持し、ルーバを閉状態に制御することとしてもよい。
【００１５】
これにより、再運転時間が再運転規定時間よりも長い場合、規定量の電解水が生成できていないと判断し、所定時間経過後に電解水の生成を再運転規定時間継続し、除菌及び脱臭の性能を安定的に実現することができるという効果を備える。また、再運転時間が再運転規定時間よりも短い場合は、規定量の電解水が生成されていると判断し、不要な再運転を抑制することができるという効果を備える。
【００１６】
以下、本発明の実施の形態について図面を参照しながら説明する。
【００１７】
（実施の形態１）
図１〜５を参照して、本発明の第１実施形態に係る電解水散布装置Ｄについて説明する。図１は、電解水散布装置Ｄの斜視図であり、電解水散布装置Ｄを前面側から見た図である。図２は、電解水散布装置Ｄのパネルを開いた状態の斜視図であり、図１に示すパネル３を開いた状態で電解水散布装置Ｄを前面側から見た図である。
【００１８】
図１、図２に示す通り、電解水散布装置Ｄは、略箱形状の筐体１を備え、筐体１の両側面には略四角形状の吸気口２を有している。筐体１の天面には、開閉式のルーバ２０と吹出口６が設けられている。図１、図２では、ルーバ２０は閉じた状態である。
【００１９】
筐体１の前面側から見て、右側の側面（筐体１の一方側の側面）である第１の本体側面１Ａには、開閉可能なパネル３が設けられている。筐体１の吸気口２は、一方側の側面を形成するパネル３に設けられている。パネル３を開くと、縦長の長方形状の開口４が現れる。開口４から、後述する貯水部１４、給水部１５、錠剤投入ケース１８ａ等が取り出し可能に構成されている。
【００２０】
図３は、電解水散布装置Ｄの散布部がある部分を鉛直方向に切った概略断面図であり、電解水散布装置Ｄのパネル３側から見た断面図である。図４は、電解水散布装置Ｄの電解部がある部分鉛直方向に切った断面図であり、電解水散布装置Ｄにおけるパネル３側から見た断面図である。図５は、電解水散布装置Ｄの機能をブロックで示した機能ブロック図である。
【００２１】
図２に示すように、筐体１内には、電解水生成部５と、電解促進剤投入部１８と、給水部１５とが備えられている。
【００２２】
電解水生成部５は、貯水部１４と、電解部１７（図４に示す）とを備えている。図２に示すように、貯水部１４は、天面を開口した箱形状しており、水を貯水できる構造となっている。貯水部１４は、筐体１の下部に配置され、筐体１から水平方向にスライドして着脱可能となっており、開口４から取り出すことができる。貯水部１４は、給水部１５から供給される水を貯水する。
【００２３】
図４に示すように、電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、活性酸素種には、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素が含まれる。
【００２４】
電解部１７は、電極部材への電気分解するため、通電状態となる通電時間と、電極部材への電気分解を停止させるための非通電状態となる非通電時間とが交互になるように構成されている。所定の第１通電時間及び所定の第１非通電時間を一周期として、一周期を複数回繰り返すことで、電解水を生成する。電極部材への通電おいて、非通電時間を設けることで、電極部材の寿命を延ばすことができる。なお、非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電力量を大きくすれば、より多くの量の活性酸素種を含む電解水が生成される。
【００２５】
図２に示すように、電解促進剤投入部１８は、錠剤投入ケース１８ａと、錠剤投入ケース１８ａ内に設けた錠剤投入部材（図示せず）と、錠剤投入ケース１８ａの上部に着脱自在に設けられた錠剤投入カバー１８ｂとを備えている。錠剤投入ケース１８ａは、開口４から取り出し可能に構成される。ユーザは、取り出した錠剤投入ケース１８ａから錠剤投入カバー１８ｂを外すことで、ユーザが錠剤投入ケース１８ａ内に電解促進錠剤を装填できる。
【００２６】
錠剤投入部材が回動すると、電解促進錠剤が錠剤投入ケース１８ａの底面の落下開口（図示せず）より貯水部１４に落下する。この電解促進錠剤が貯水部１４内の水に溶け込むことにより、貯水部１４の水が塩化物イオンを含む水となる。なお、電解促進錠剤の一例は、塩化ナトリウムである。  図２に示すように、給水部１５は、筐体１内部の正面視右側の側面に設置され、貯水部１４から着脱可能な構造となっており、開口４から取り出すことができる。給水部１５は、貯水部１４の底面に設けられたタンク保持部１４ａに装着されている。給水部１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水部１４へ供給される。
【００２７】
具体的には、タンク１５ａの開口を下向きにして、給水部１５を貯水部１４のタンク保持部１４ａに取り付けると、タンク保持部１４ａによって開閉部が開く。つまり、水を入れた給水部１５がタンク保持部１４ａに取り付けられると、開閉部が開いて貯水部１４に給水され、貯水部１４内に水が溜まる。貯水部１４内の水位が上昇して蓋１５ｂのところまで到達すると給水部１５の開口が水封されるので給水が停止し、給水部１５の内部には水が残り、貯水部１４内の水位が下がった場合に都度、タンク１５ａ内部の水が貯水部１４に給水される。即ち、貯水部１４内の水位は一定に保たれる。
【００２８】
なお、電解水散布装置Ｄは、給水部１５としてタンク１５ａを有していなくてもよい。この場合は、電解水散布装置Ｄに対して、水を供給するラインを水道水よりひき、貯水部１４内の水位が下がった場合に、貯水部１４内の水位が所定位置に上昇するまで水道水を供給する給水部１５を設けるようにしてもよい。
【００２９】
図３に示すように、筐体１内には、散布部１９と、風路８とが備えられている。散布部１９は、送風部７と、フィルター部１６とを備える。送風部７は、筐体１の中央部に設けられ、モータ部９と、モータ部９により回転するファン部１０と、それらを囲むスクロール形状のケーシング部１１とを備えている。モータ部９は、ケーシング部１１に固定されている。ファン部１０は、シロッコファンであり、モータ部９から水平方向に延びた回転軸９ａに固定され、モータ部９は、ケーシング部１１に固定されている。モータ部９の回転軸９ａは、筐体１の前面側から背面側に延びている。
【００３０】
図１に示すように、ケーシング部１１は、ケーシング部１１の筐体１における上面側に吐出口１２を備え、ケーシング部１１の筐体１における背面側に吸込口１３を有している。
【００３１】
図３に示すように、フィルター部１６は、貯水部１４に貯水された電解水と、送風部７によって筐体１内に流入した室内空気とを接触させる部材である。フィルター部１６は、円筒状に構成され、円周部分に空気が流通可能な孔を備えたフィルター１６ａを配置し、その一端が貯水部１４に貯水された電解水に浸漬され、保水されるように、フィルター１６ａの中心軸を回転中心として貯水部１４に回転自在に内蔵されている。そして、フィルター部１６は、駆動部（図示しない）により回転され、電解水と室内空気を連続的に接触させる構造となっている。
【００３２】
図３に示すように、風路８は、吸気口２とルーバ２０が開いた状態の吹出口６とを連通し、吸気口２から順に、フィルター部１６、送風部７、吹出口６を備えている。モータ部９によってファン部１０が回転すると、吸気口２から吸い込まれ風路８内に入った外部の空気は、順に、フィルター１６ａ、送風部７、ルーバ２０が開いた状態の吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、結果的に生成した電解水由来（揮発を含む）の活性酸素種を散布するものであっても電解水散布に含まれる。
【００３３】
図５に示すように、電解水散布装置Ｄには、情報取得部３１と、制御部３０とが備えられている。情報取得部３１は、ユーザのオンオフ操作による動作指令と電解部１７の通電状態及び非通電状態の情報を取得するものである。
【００３４】
制御部３０は、通電カウント部４１と、一時停止カウント部４２と、再運転時間演算部４３と、再通電カウント部４４と、一時停止制御部５１と、再運転制御部５２と、を備えている。
【００３５】
通電カウント部４１は、電解部１７を構成する電極部材への通電が行われた通電時間をカウントするカウンタにより構成される。このとき通電カウント部４１は、第１通電時間までにおける通電時間をカウントし、通電時間が第１通電時間を超えた場合、通電時間を０に書き換える。すなわち、通電カウント部４１は、第１通電時間の範囲内における通電時間をカウントする。
【００３６】
一時停止カウント部４２は、一時停止制御部５１の一時停止処理により電解部１７を構成する電極部材への通電が一時停止された停止時間Ｘ２をカウントするカウンタにより構成される。このとき一時停止カウント部４２は、所定時間Ｘ５までにおける停止時間Ｘ２をカウントし、停止時間Ｘ２が所定時間Ｘ５を超えた場合、停止時間Ｘ２を０に書き換える。すなわち、一時停止カウント部４２は、所定時間Ｘ５の範囲内における停止時間Ｘ２をカウントする。
【００３７】
再運転時間演算部４３は、第１通電時間及び第１非通電時間を一周期としたときの第１通電時間より通電カウント部４１がカウントした通電時間を減算する演算部である。すなわち、演算結果は一周期における残りの通電する時間の再運転時間Ｘ３を算出するものである。
【００３８】
再通電カウント部４４は、再運転制御部５２の再運転処理により電解部１７を構成する電極部材への通電が再開された再通電時間Ｘ４をカウントするカウンタにより構成される。このとき再通電カウント部４４は、再運転時間演算部４３の演算結果である再運転時間Ｘ３までにおける再通電時間Ｘ４をカウントし、再通電時間Ｘ４が再運転時間Ｘ３を超えた場合、再通電時間Ｘ４を０に書き換える。すなわち、再通電カウント部４４は、再運転時間Ｘ３における再通電時間Ｘ４をカウントする。
【００３９】
一時停止制御部５１は、電解部１７を構成する電極部材への通電を一時停止し、また、送風部７を停止し、また、ルーバ２０を閉状態に制御するものである。
【００４０】
再運転制御部５２は、電解部１７を構成する電極部材への通電を再開し、また、送風部７を運転し、また、ルーバ２０を開状態に制御するものである。
【００４１】
ここで、本実施の形態１における電解水生成中のユーザによるオフ操作が会った場合の動作について、図６を用いて説明する。なお、図６中のＳはステップを意味する。
制御部３０は、情報取得部３１からユーザのオフ操作による停止の動作指令と電解部１７の通電状態の情報を取得した場合、再運転時間演算部４３により再運転時間Ｘ３を算出する（Ｓ０１）。
次に再運転時間Ｘ３と再運転規定時間とを比較する。（Ｓ０２）なお、再運転規定時間は、第１通電時間よりも短い所定の時間が設定されている。
【００４２】
ステップ（Ｓ０２）で再運転時間Ｘ３が再運転規定時間以下と判断した場合、電解部１７の通電処理を終了する。また、送風部７を停止させ、ルーバ２０を閉状態に制御する。
【００４３】
ステップ（Ｓ０２）で再運転時間Ｘ３が再運転規定時間以下と判断した場合、一時停止制御部５１にて一時停止処理を実施し（Ｓ０３）、一時停止カウント部４２のカウントを開始し（Ｓ０４）、カウントした停止時間Ｘ２と所定時間Ｘ５とを比較する（Ｓ０５）。
【００４４】
ステップ（Ｓ０５）で停止時間Ｘ２が所定時間Ｘ５を経過していないと判断した場合は、一時停止制御部５１の一時停止処理を継続し（Ｓ０３）、一時停止カウント部４２のカウントを継続し（Ｓ０４）、再び停止時間Ｘ２と所定時間Ｘ５とを比較する。
【００４５】
ステップ（Ｓ０５）で停止時間Ｘ２が所定時間Ｘ５を経過したと判断したら、再運転制御部５２にて再運転処理を実施し（Ｓ０６）、再通電カウント部４４のカウントを開始し（Ｓ０７）、再通電時間Ｘ４と再運転時間演算部４３の演算結果である再運転時間Ｘ３とを比較する（Ｓ０８）。
【００４６】
ステップ（Ｓ０８）で再運転時間Ｘ４が再運転時間を経過していないと判断した場合は、再運転制御部５２にて再運転処理を継続し（Ｓ０６）、再通電カウント部４４のカウントを継続し（Ｓ０７）、再び再通電時間Ｘ４と再運転時間Ｘ３とを比較する（Ｓ０８）。
【００４７】
ステップ（Ｓ０８）で再通電時間Ｘ４が再運転時間Ｘ３以上の場合、通電処理を終了し、送風部７を停止させ、ルーバ２０を閉状態に制御する。
【００４８】
以上の通り、第１実施形態に係る電解水散布装置Ｄでは、制御部３０は、情報取得部３１から停止の動作指令と電解部の通電状態の情報を取得した場合、電解部１７及び送風部７を一時停止させ、ルーバ２０を閉状態に制御し、所定時間の経過後、再運転時間において電解部１７及び送風部７を動作させ、ルーバ２０を開状態に制御することにより、ユーザ使用性を向上させつつ、除菌及び脱臭の性能を安定的に実現できる。
【産業上の利用可能性】
【００４９】
本発明に係る電解水散布装置は、空気中の細菌、真菌、ウイルス、臭い等の除去（不活性化を含む）を行う電解水散布装置や電解水散布装置を用いた送風装置として有用である。
【符号の説明】
【００５０】
Ｄ    電解水散布装置
１    筐体
１Ａ    第１の本体側面
２    吸気口
３    パネル
４    開口
５    電解水生成部
６    吹出口
７    送風部
８    風路
９    モータ部
９ａ    回転軸
１０    ファン部
１１    ケーシング部
１２    吐出口
１３    吸込口
１４    貯水部
１４ａ    タンク保持部
１５    給水部
１５ａ    タンク
１５ｂ    蓋
１６    フィルター部
１６ａ    フィルター
１７    電解部
１８    電解促進剤投入部
１８ａ    錠剤投入ケース
１８ｂ    錠剤投入カバー
１９    散布部
２０    ルーバ
３０    制御部
３１    情報取得部
４１    通電カウント部
４２    一時停止カウント部
４３    再運転時間演算部
４４    再通電カウント部
５１    一時停止制御部
５２    再運転制御部
【図１】
2020110337.tif 000003
【図２】
2020110337.tif 000004
【図３】
2020110337.tif 000005
【図４】
2020110337.tif 000006
【図５】
2020110337.tif 000007
【図６】
2020110337.tif 000008